(57)【要約】【課題】幅方向からの外力に対する強度を向上させ、横揺れを低減する。【解決手段】天板昇降式什器１は、天板２１を有する上部構造体２０と、床面上に設けられ、互いに天板２１の幅方向に離間して設けられ、上部構造体２０を支持する一対の脚部材１０と、を備える。一対の脚部材１０の各々は、床面上に設けられた下部支持体と、下部支持体に連結され、下部支持体から上部構造体２０に向かう延在方向に延びて設けられ、延在方向に伸縮可能な昇降ユニット１２と、昇降ユニット１２の上端部１２ｆと上部構造体２０との間に設けられ、昇降ユニット１２および上部構造体２０にそれぞれ連結された補強部材１３と、を有する。補強部材１３は、平面視において昇降ユニット１２の上端部１２ｆよりも幅方向の内側に突出し、上部構造体２０を支持する突出部１３ａを有する。【選択図】図３
2017185167.tif 000002
【特許請求の範囲】
【請求項１】
天板を有する上部構造体と、
床面上に設けられ、互いに前記天板の幅方向に離間して設けられ、前記上部構造体を支持する一対の脚部材と、
を備え、
前記一対の脚部材の各々は、
前記床面上に設けられた下部支持体と、
前記下部支持体に連結され、前記下部支持体から前記上部構造体に向かう延在方向に延びて設けられ、前記延在方向に伸縮可能な昇降ユニットと、
前記昇降ユニットの上端部と前記上部構造体との間に設けられ、前記昇降ユニットおよび前記上部構造体にそれぞれ連結された補強部材と、
を有し、
前記補強部材は、平面視において前記昇降ユニットの前記上端部よりも前記幅方向において前記一対の脚部材の対向する側に突出し、前記上部構造体を支持する突出部を有する
天板昇降式什器。
【請求項２】
請求項１に記載の天板昇降式什器であって、
前記補強部材と前記上部構造体とは、前記補強部材の上面と前記上部構造体の下面とを当接させた状態で、互いに連結され、
前記補強部材の前記上面と前記上部構造体の前記下面とのうち、一方には他方に向かって突出する第一凸部が形成され、他方には前記第一凸部と嵌合する第一凹部が形成されている
天板昇降式什器。
【請求項３】
請求項１または２に記載の天板昇降式什器であって、
前記補強部材と前記昇降ユニットとは、前記補強部材の下面と前記昇降ユニットの上面とを当接させた状態で、互いに連結され、
前記補強部材の前記下面と前記昇降ユニットの前記上面とのうち、一方には他方に向かって突出する第二凸部が形成され、他方には前記第二凸部と嵌合する第二凹部が形成されている
天板昇降式什器。
【請求項４】
請求項１または２に記載の天板昇降式什器であって、
前記補強部材と前記昇降ユニットとは、前記補強部材の下面と前記昇降ユニットの上面とを当接させた状態で、互いに連結され、
前記昇降ユニットの前記上面には、前記補強部材に向かって突出し、環状に配置された第二凸部が形成され、
前記補強部材の前記下面には、前記第二凸部の外周縁と嵌合するように上方に凹んで形成された第二凹部と、前記第二凹部から前記昇降ユニットに向かって突出し、前記第二凸部の内周縁と嵌合するように形成された第三凸部と、が設けられている
天板昇降式什器。
【請求項５】
請求項４に記載の天板昇降式什器であって、
前記補強部材は、ねじにより前記昇降ユニットに連結され、
前記第二凹部には、前記補強部材を前記上部構造体から前記昇降ユニットに向かって貫通し、前記ねじが挿通される挿通孔が形成され、
前記第三凸部は、平面視において前記挿通孔を囲むように配置されている
天板昇降式什器。
【請求項６】
請求項１から４のいずれか一項に記載の天板昇降式什器であって、
前記上部構造体および前記補強部材は、ねじにより前記昇降ユニットに共締めされている
天板昇降式什器。
【請求項７】
請求項１に記載の天板昇降式什器であって、
前記補強部材と前記上部構造体とは、前記補強部材の上面と前記上部構造体の下面とを当接させた状態で、互いに連結され、
前記補強部材の前記上面と前記上部構造体の前記下面とのうち、一方には他方に向かって突出する第一凸部が形成され、他方には前記第一凸部と嵌合する第一凹部が形成され、
前記補強部材と前記昇降ユニットとは、前記補強部材の下面と前記昇降ユニットの上面とを当接させた状態で、互いに連結され、
前記補強部材の前記下面と前記昇降ユニットの前記上面とのうち、一方には他方に向かって突出する第二凸部が形成され、他方には前記第二凸部と嵌合する第二凹部が形成され、
前記第二凸部および前記第二凹部は、平面視において前記第一凸部および前記第一凹部を囲むように配置されている
天板昇降式什器。
【請求項８】
請求項７に記載の天板昇降式什器であって、
前記上部構造体および前記補強部材は、ねじにより前記昇降ユニットに共締めされ、
前記ねじは、平面視において前記第二凸部および前記第二凹部の内側かつ前記第一凸部および前記第一凹部の外側の位置に配置されている
天板昇降式什器。
【請求項９】
請求項１から８のいずれか一項に記載の天板昇降式什器であって、
前記上部構造体は、前記天板を支持する上部支持体をさらに有し、
前記補強部材は、前記昇降ユニットの前記上端部と前記上部支持体との間に配置され、
前記補強部材には、前記昇降ユニットの前記上端部から前記上部支持体に向かって前記補強部材を貫通する配線挿通孔が形成され、
前記昇降ユニットに接続されたケーブルは、前記配線挿通孔を挿通して、前記上部支持体に案内されている
天板昇降式什器。
【請求項１０】
請求項１から９のいずれか一項に記載の天板昇降式什器であって、
前記補強部材の前記突出部は、前記昇降ユニットの前記上端部から前記上部構造体に向かうに従って幅方向に突出する寸法が大きくなるテーパー状に形成されている
天板昇降式什器。
【発明の詳細な説明】
【技術分野】
【０００１】  本発明は、天板昇降式什器に関する。
【背景技術】
【０００２】  オフィスや公共施設などでは、各種作業を行うことのできる天板を備えたデスクやテーブル、作業台、実験台などの天板付き什器が用いられている。天板付き什器において、使用者の姿勢や体格、性別、好みなどによって、作業のしやすい天板の高さは個々に異なっている。天板の高さが一定である什器ではこのような実情に対応できないため、天板の高さを上下方向に変更可能な天板昇降式什器が広く用いられている。こうした什器を用いることによって、使用者に対して作業性の良い環境を提供することができ、作業効率を向上させるとともに、使用者の体への負担を低減することができる。【０００３】  従来、天板昇降式什器において、天板の高さを上下に変更するための昇降手段として、ガススプリングを用いる方法やギアを用いる方法などが知られている（例えば、特許文献１および２参照）。これらの手動の昇降手段では、構造が比較的簡単であり、コストを低廉に抑えることができる。しかしながら、力の弱い使用者では、これらの昇降手段を操作しにくい場合があった。【０００４】  そこで、昇降手段の操作性を良好にするために、昇降手段に電動式駆動ユニットを用いた天板昇降式什器が多く採用されている（例えば、特許文献３〜５参照）。電動式駆動ユニットを用いた天板昇降式什器では、使用者は容易に天板の高さを好適な位置に調整することができる。【０００５】  この電動式駆動ユニットは、一般的に、筒状のアウターケーシングと、アウターケーシングの内側に嵌合する筒状のインナーケーシングと、有し、内部に設けられた駆動部によってアウターケーシングとインナーケーシングとの相対的な位置関係を変更可能に構成されている。天板昇降式什器において、電動式駆動ユニットは、床面上に配置された下部支持体と下部支持体の上方に配置された天板または天板を支持する上部支持体との間に配置され、電動式駆動ユニットの伸縮する方向に下部支持体と天板または上部支持体とを互いに連結している。
【先行技術文献】
【特許文献】
【０００６】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特許第５７１８５０３号公報
【発明の概要】
【発明が解決しようとする課題】
【０００７】  上述した電動式駆動ユニットと天板または上部支持体と連結する場合、通常、ビスを用いて互いを引き付けて連結する。このように、天板または上部支持体の取付面に電動式駆動ユニットを単純にビス止めして電動式駆動ユニットと天板または上部支持体とを連結した場合、想定以上の外力が天板の幅方向から加えられたり、想定以上の重量物が天板上に載置されたりした場合において、什器としての安定性に不安があった。【０００８】  本発明は、上記の事情を鑑みてなされたものであり、幅方向からの外力に対する強度を向上させ、横揺れを低減することが可能な天板昇降式什器を提供することを目的とする。
【課題を解決するための手段】
【０００９】  本発明の一態様によれば、天板昇降式什器は、天板を有する上部構造体と、床面上に設けられ、互いに前記天板の幅方向に離間して設けられ、前記上部構造体を支持する一対の脚部材と、を備える。前記一対の脚部材の各々は、前記床面上に設けられた下部支持体と、前記下部支持体に連結され、前記下部支持体から前記上部構造体に向かう延在方向に延びて設けられ、前記延在方向に伸縮可能な昇降ユニットと、前記昇降ユニットの上端部と前記上部構造体との間に設けられ、前記昇降ユニットおよび前記上部構造体にそれぞれ連結された補強部材と、を有する。前記補強部材は、平面視において前記昇降ユニットの前記上端部よりも前記幅方向において前記一対の脚部材の対向する側に突出し、前記上部構造体を支持する突出部を有する。【００１０】  このような天板昇降式什器によれば、昇降ユニットの上端部と上部構造体との間に各々に連結された補強部材が設けられており、この補強部材は、平面視において昇降ユニットの上端部よりも幅方向において一対の脚部材の対向する側に突出する突出部を有する。このため、このように構成された突出部により、幅方向からの外力に対する強度を向上させることができる。これにより、天板昇降式什器の横揺れを低減することができる。【００１１】  上記の天板昇降式什器において、前記補強部材と前記上部構造体とは、前記補強部材の上面と前記上部構造体の下面とを当接させた状態で、互いに連結されていてもよい。前記補強部材の前記上面と前記上部構造体の前記下面とのうち、一方には他方に向かって突出する第一凸部が形成され、他方には前記第一凸部と嵌合する第一凹部が形成されていてもよい。【００１２】  このような天板昇降式什器によれば、補強部材の上面と上部構造体の下面とのうち、一方には他方に向かって突出する第一凸部が形成され、他方には第一凸部と嵌合する第一凹部が形成されているので、第一凸部と第一凹部とを互いに嵌合させることによって、組み立て時に補強部材と上部構造体との取付位置の位置決めを容易に行うことができる。よって、組立作業性を良好にすることができる。【００１３】  上記の天板昇降式什器において、前記補強部材と前記昇降ユニットとは、前記補強部材の下面と前記昇降ユニットの上面とを当接させた状態で、互いに連結されていてもよい。前記補強部材の前記下面と前記昇降ユニットの前記上面とのうち、一方には他方に向かって突出する第二凸部が形成され、他方には前記第二凸部と嵌合する第二凹部が形成されていてもよい。【００１４】  このような天板昇降式什器によれば、補強部材の下面と昇降ユニットの上面とのうち、一方には他方に向かって突出する第二凸部が形成され、他方には第二凸部と嵌合する第二凹部が形成されているので、第二凸部と第二凹部とを互いに嵌合させることによって、組み立て時に補強部材と昇降ユニットとの取付位置の位置決めを容易に行うことができる。よって、組立作業性を良好にすることができる。【００１５】  上記の天板昇降式什器において、前記補強部材と前記昇降ユニットとは、前記補強部材の下面と前記昇降ユニットの上面とを当接させた状態で、互いに連結されていてもよい。前記昇降ユニットの前記上面には、前記補強部材���向かって突出し、環状に配置された第二凸部が形成されていてもよい。前記補強部材の前記下面には、前記第二凸部の外周縁と嵌合するように上方に凹んで形成された第二凹部と、前記第二凹部から前記昇降ユニットに向かって突出し、前記第二凸部の内周縁と嵌合するように形成された第三凸部と、が設けられていてもよい。【００１６】  このような天板昇降式什器によれば、補強部材の下面には、第二凸部の外周縁と嵌合するように上方に凹んで形成された第二凹部と、第二凹部から昇降ユニットに向かって突出し、第二凸部の内周縁と嵌合するように形成された第三凸部と、が設けられているので、補強部材と昇降ユニットとの連結時に第二凸部の外周縁を第二凹部に嵌合させるとともに第三凸部を第二凸部の内周縁に嵌合させることによって、補強部材と昇降ユニットとの連結強度をより向上させることができる。【００１７】  上記の天板昇降式什器において、前記補強部材は、ねじにより前記昇降ユニットに連結されていてもよい。前記第二凹部には、前記補強部材を前記上部構造体から前記昇降ユニットに向かって貫通し、前記ねじが挿通される挿通孔が形成されていてもよい。前記第三凸部は、平面視において前記挿通孔を囲むように配置されていてもよい。【００１８】  このような天板昇降式什器によれば、第三凸部は、平面視において挿通孔を囲むように配置されているので、挿通孔を挿通したねじを第二凹部内において昇降ユニットに向けて案内することができる。このため、補強部材と昇降ユニットとをねじで連結する際の組立作業性を良好にすることができる。【００１９】  上記の天板昇降式什器において、前記上部構造体および前記補強部材は、ねじにより前記昇降ユニットに共締めされていてもよい。【００２０】  このような天板昇降式什器によれば、上部構造体および補強部材を昇降ユニットに共締めすることによって、上部構造体および補強部材を同時に昇降ユニットに連結することができるので、組立作業性を良好にすることができる。【００２１】  上記の天板昇降式什器において、前記補強部材と前記上部構造体とは、前記補強部材の上面と前記上部構造体の下面とを当接させた状態で、互いに連結されていてもよい。前記補強部材の前記上面と前記上部構造体の前記下面とのうち、一方には他方に向かって突出する第一凸部が形成され、他方には前記第一凸部と嵌合する第一凹部が形成されていてもよい。前記補強部材と前記昇降ユニットとは、前記補強部材の下面と前記昇降ユニットの上面とを当接させた状態で、互いに連結されていてもよい。前記補強部材の前記下面と前記昇降ユニットの前記上面とのうち、一方には他方に向かって突出する第二凸部が形成され、他方には前記第二凸部と嵌合する第二凹部が形成されていてもよい。前記第二凸部および前記第二凹部は、平面視において前記第一凸部および前記第一凹部を囲むように配置されていてもよい。【００２２】  このような天板昇降式什器によれば、第二凸部および第二凹部は、平面視において第一凸部および第一凹部を囲むように配置されているので、補強部材と補強部材の下側に配置される昇降ユニットとが連結される際に第二凸部と第二凹部とが互いに嵌合する部分は、補強部材と補強部材の上側に配置され��上部構造体とが連結される際に第一凸部と第一凹部とが互いに嵌合する部分よりも、平面視において外側に配置されている。よって、相対的に下側に配置される第二凸部と第二凹部との嵌合部分が上側に配置される第一凸部と第一凹部との嵌合部分よりも平面視において外側に配置されているので、組立作業時において、昇降ユニットの上に補強部材を配置し、さらに補強部材の上に上部構造体を配置した仮組みの状態であっても、補強部材および上部構造体を昇降ユニットの上に安定的に支持することができる。これにより、組立作業性を良好にすることができる。【００２３】  上記の天板昇降式什器において、前記上部構造体および前記補強部材は、ねじにより前記昇降ユニットに共締めされていてもよい。前記ねじは、平面視において前記第二凸部および前記第二凹部の内側かつ前記第一凸部および前記第一凹部の外側の位置に配置されていてもよい。【００２４】  このような天板昇降式什器によれば、ねじは、平面視において第二凸部および第二凹部の内側かつ第一凸部および第一凹部の外側の位置に配置されているので、ねじの締結による力を第二凸部と第二凹部との嵌合部分および第一凸部と第一凹部との嵌合部分の両方に良好に伝えることができる。よって、補強部材と昇降ユニットとの連結強度および補強部材と上部構造体との連結強度をより向上させることができる。【００２５】  上記の天板昇降式什器において、前記上部構造体は、前記天板を支持する上部支持体をさらに有していてもよい。前記補強部材は、前記昇降ユニットの前記上端部と前記上部支持体との間に配置されていてもよい。前記補強部材には、前記昇降ユニットの前記上端部から前記上部支持体に向かって前記補強部材を貫通する配線挿通孔が形成されていてもよい。前記昇降ユニットに接続されたケーブルは、前記配線挿通孔を挿通して、前記上部支持体に案内されていてもよい。【００２６】  このような天板昇降式什器によれば、昇降ユニットに接続されたケーブルは、補強部材の配線挿通孔を挿通して上部支持体に案内されているので、ケーブルが外部から見えにくくなり、天板昇降式什器の外観の体裁を良好にすることができる。【００２７】  上記の天板昇降式什器において、前記補強部材の前記突出部は、前記昇降ユニットの前記上端部から前記上部構造体に向かうに従って幅方向に突出する寸法が大きくなるテーパー状に形成されていてもよい。【００２８】  このような天板昇降式什器によれば、突出部は、昇降ユニットの上端部から上部構造体に向かうに従って幅方向に突出する寸法が大きくなるテーパー状に形成されているので、使用者が手などで突出部に触れた場合に手などが傷つくことを防止することができる。
【発明の効果】
【００２９】  上記の天板昇降式什器によれば、幅方向からの外力に対する強度を向上させ、横揺れを低減することができる。
【図面の簡単な説明】
【００３０】
【図１】本発明の一実施形態に係る天板昇降式什器を示す斜視図である。
【図２】前記天板昇降式什器を示す側面図である。
【図３】前記天板昇降式什器を斜め下方から見た図である。
【図４】前記天板昇降式什器の脚部材を斜め下方から見た分解図である。
【図５】前記天板昇降式什器の脚部材を斜め上方から見た分解図である。
【図６】前記天板昇降式什器の補強部材を示す図である。
【発明を実施するための形態】
【００３１】  以下、本発明の一実施形態について、図面を参照して説明する。
【００３２】  図１は、本実施形態に係る天板昇降式什器１を示す斜視図である。図２は、天板昇降式什器１を示す側面図である。図３は、天板昇降式什器１を斜め下方から見た図である。図４は、天板昇降式什器１の脚部材１０を斜め下方から見た分解図である。図５は、天板昇降式什器１の脚部材１０を斜め上方から見た分解図である。
【００３３】  図１から図３に示すように、天板昇降式什器１は、天板２１を有する上部構造体２０と、上部構造体２０を支持する一対の脚部材１０、１０と、を備える。一対の脚部材１０、１０は、床面Ｆ上に設けられ、互いに天板２１の長辺方向（以下、この方向を幅方向と適宜称する。）に離間して設けられている。
【００３４】  各脚部材１０は、床面Ｆ上に設けられた下部支持体１１と、下部支持体１１に連結された昇降ユニット１２と、昇降ユニット１２と上部構造体２０との間に設けられた補強部材１３と、を有する。
【００３５】  下部支持体１１は、床面Ｆ上に配置され、天板２１の短辺方向（以下、この方向を前後方向と適宜称する。）に延びている。下部支持体１１の下面１１ｕには、下部支持体１１の高さおよびレベルの調整を行うアジャスター１４が設けられている。
【００３６】  昇降ユニット１２は、下部支持体１１に連結され、下部支持体１１から上部構造体２０に向かう延在方向に延びて設けられている。本実施形態では、昇降ユニット１２の延在方向は、上下方向である。また、昇降ユニット１２は、上下方向（延在方向）に伸縮可能に構成されている。具体的には、昇降ユニット１２は、下部筒状体１２ａと、中間筒状体１２ｂと、上部筒状体１２ｃと、を有する。下部筒状体１２ａ、中間筒状体１２ｂ、および上部筒状体１２ｃは、それぞれ上下方向に延びる四角形筒状に形成されている。下部筒状体１２ａの内部に中間筒状体１２ｂが収納され、中間筒状体１２ｂの内部に上部筒状体１２ｃが収納されている。昇降ユニット１２が有する図示しない駆動機構により、下部筒状体１２ａに対して中間筒状体１２ｂおよび上部筒状体１２ｃをそれぞれ上下方向に移動させることで、昇降ユニット１２を上下方向に伸縮させることができる。このように構成された昇降ユニット１２によって、脚部材１０は、上部構造体２０を昇降可能に支持している。
【００３７】  補強部材１３は、昇降ユニット１２の上端部１２ｆと上部構造体２０との間に設けられ、昇降ユニット１２および上部構造体２０にそれぞれ連結されている。補強部材１３の構成については、後述する。
【００３８】  上部構造体２０は、平面視で長方形の板状に形成された天板２１と、天板２１を支持する一対の上部支持体２２、２２と、一対の上部支持体２２、２２を互いに連結する連結部材２３と、を有する。天板２１は、上面に作業面２１ｔを有する。
【００３９】  一対の上部支持体２２、２２は、天板２１の幅方向の両端部にそれぞれ設けられ、図示しないねじなどにより天板２１の下面２１ｕに固定されている。また、一対の上部支持体２２、２２は、一対の脚部材１０、１０にそれぞれ連結されている。各上部支持体２２は、脚部材１０に連結される本体部２２ａと、本体部２２ａから天板２１の前後方向の両側に延びるアーム部２２ｂと、を有する。本体部２２ａは、内部空間を有する略箱状に形成されている。図４に示すように、本体部２２ａの下面２２ｕには、本体部２２ａの内部空間と連通する開口２２ｈが形成されている。また、本体部２２ａの内部空間は、幅方向の内側（一対の上部支持体２２、２２が対向する側）の端部２２ｃにおいて、連結部材２３の内部空間と連通している。
【００４０】  連結部材２３は、天板２１の幅方向に延びて設けられている。連結部材２３の幅方向の両端部は、一対の上部支持体２２、２２にそれぞれ固定されている。これにより、連結部材２３は、一対の上部支持体２２、２２を互いに連結している。図３および図４に示すように、連結部材２３は、幅方向に延びる平板状の上板部２３ａと、上板部２３ａの前後方向の両端縁からそれぞれ下方に向かって延びる一対の側板部２３ｂ、２３ｂと、一対の側板部２３ｂ、２３ｂの下端縁からそれぞれ前後方向に対向するように延びる一対の下板部２３ｃ、２３ｃと、を有する。上板部２３ａ、一対の側板部２３ｂ、２３ｂ、および一対の下板部２３ｃ、２３ｃにより、連結部材２３の内部空間が形成されている。一対の下板部２３ｃ、２３ｃの間には、連結部材２３の内部空間と連通する開口が形成されている。一対の下板部２３ｃ、２３ｃの下部には、この開口を覆うように板状の配線トレー２４が取り付けられている。
【００４１】  連結部材２３の内部空間には、昇降ユニット１２、１２の伸縮動作を制御する図示しない制御ユニットが収容されている。制御ユニットは、ねじなどにより連結部材２３の上板部２３ａに固定されている。制御ユニットは、ケーブル１２ｄにより昇降ユニット１２、１２に電気的に接続されている。図４および図５に示すように、ケーブル１２ｄは、制御ユニットから連結部材２３の内部空間、上部支持体２２の本体部２２ａの内部空間、および本体部２２ａの開口２２ｈを通過し、補強部材１３の配線挿通孔１３ｈを挿通して、昇降ユニット１２まで延びている。
【００４２】  天板２１の前端部２１ｆの下面２１ｕには、昇降ユニット１２、１２を伸縮動作させるための操作入力を行う操作部１２ｅが設けられている。操作部１２ｅは、図示しないケーブルにより制御ユニットに電気的に接続されている。使用者が操作部１２ｅに対して所定の操作を入力すると、ケーブルを介して、操作部１２ｅから制御ユニットに操作信号が送信される。制御ユニットは、操作部１２ｅから操作信号を受信すると、受信した信号に基づいて昇降ユニット１２、１２に昇降動作を実行させる指令信号を出力する。昇降ユニット１２、１２は、指令信号を受け取ると、その指令信号に応じて伸縮動作する。これにより、天板２１の高さの調整が行われる。
【００４３】  図６は、補強部材１３を示す図である。図６（ａ）は、補強部材１３の平面図であり、図６（ｂ）は、補強部材１３の側面図である。図４から図６に示すように、補強部材１３は、昇降ユニット１２の上端部１２ｆと上部支持体２２との間に配置されている。また、補強部材１３は、平板状の部材であり、平面視において昇降ユニット１２の上端部１２ｆの外径寸法よりも大きい外径寸法を有する。
【００４４】  補強部材１３は、平面視において昇降ユニット１２の上端部１２ｆよりも幅方向の内側（幅方向において一対の脚部材１０、１０が対向する側）に突出し、上部構造体２０を支持する突出部１３ａを有する。突出部１３ａは、上方に向かうに従って幅方向に突出する寸法が大きくなるテーパー状に形成されている。
【００４５】  補強部材１３と上部構造体２０とは、補強部材１３の上面１３ｔと上部構造体２０の下面２０ｕとを当接させた状態で、互いに連結されている。具体的には、補強部材１３の上面１３ｔと上部支持体２２の下面２２ｕとを当接させた状態で、補強部材１３と上部構造体２０の上部支持体２２とが互いに連結されている。
【００４６】  補強部材１３の上面１３ｔには、上部支持体２２の下面２２ｕに向かって突出する上側凸部（第一凸部）１３ｅが形成されている。上側凸部１３ｅは、上部支持体２２の下面２２ｕに形成された開口（第一凹部）２２ｈと嵌合するように形成されている。本実施形態では、矩形状に形成された開口２２ｈに対応して、上側凸部１３ｅは、平面視において矩形環状に形成されている。補強部材１３と上部支持体２２とは、補強部材１３の上側凸部１３ｅが上部支持体２２の開口２２ｈに嵌合した状態で、互いに連結されている。
【００４７】  補強部材１３と昇降ユニット１２とは、補強部材１３の下面１３ｕと昇降ユニット１２の上端部１２ｆにおける上面１２ｔとを当接させた状態で、互いに連結されている。昇降ユニット１２の上面１２ｔには、補強部材１３に向かって突出し、環状に配置された凸部（第二凸部）１２ｉが形成されている。本実施形態では、凸部１２ｉは、昇降ユニット１２の上端部１２ｆの周縁である。
【００４８】  補強部材１３の下面１３ｕには、下側凹部（第二凹部）１３ｆと、下側凸部（第三凸部）１３ｇと、が設けられている。下側凹部１３ｆは、昇降ユニット１２の凸部１２ｉの外周縁と嵌合するように上方に凹んで形成されている。本実施形態では、矩形環状に形成された昇降ユニット１２の凸部１２ｉに対応して、下側凹部１３ｆは、矩形状に形成されている。昇降ユニット１２の凸部１２ｉおよび下側凹部１３ｆは、平面視において上側凸部１３ｅおよび上部支持体２２の開口２２ｈを囲むように配置されている。また、下側凸部１３ｇは、下側凹部１３ｆから昇降ユニット１２に向かって突出し、昇降ユニット１２の凸部１２ｉの内周縁と嵌合するように形成されている。本実施形態では、下側凸部１３ｇは、下側凹部１３ｆにおいて昇降ユニット１２の凸部１２ｉの４つの角部の内周縁に対応する位置に、４つ設けられている。補強部材１３と昇降ユニット１２とは、昇降ユニット１２の凸部１２ｉの外周縁が補強部材１３の下側凹部１３ｆに嵌合するとともに補強部材１３の下側凸部１３ｇが昇降ユニット１２の凸部１２ｉの内周縁に嵌合した状態で、互いに連結されている。
【００４９】  上部構造体２０の上部支持体２２および補強部材１３は、ねじ１５により昇降ユニット１２に共締めされている。このため、補強部材１３には、ねじ１５が挿通される４つの挿通孔１３ｂが設けられている。４つの挿通孔１３ｂは、補強部材１３を上下方向に貫通するように形成され、昇降ユニット１２の上面１２ｔの四隅に設けられた４つのねじ受け部１２ｇに対応する位置にそれぞれ配置されている。また、４つの挿通孔１３ｂは、下側凹部１３ｆにおいて、平面視において４つの下側凸部１３ｇにそれぞれ囲まれるように配置されている。ねじ１５は、上部支持体２２の本体部２２ａの下面２２ｕに形成された挿通孔２２ｄを挿通して、補強部材１３の挿通孔１３ｂを挿通し、昇降ユニット１２のねじ受け部１２ｇに螺合する。このとき、ねじ１５は、平面視において昇降ユニット１２の凸部１２ｉおよび補強部材１３の下側凹部１３ｆの内側かつ補強部材１３の上側凸部１３ｅおよび上部支持体２２の開口２２ｈの外側の位置に配置されている。このようにして、上部支持体２２および補強部材１３は、昇降ユニット１２に共締めされている。
【００５０】  補強部材１３には、昇降ユニット１２の上端部１２ｆから上部支持体２２に向かって補強部材１３を貫通する配線挿通孔１３ｈが形成されている。配線挿通孔１３ｈは、上部支持体２２の開口２２ｈと連通する位置に設けられている。本実施形態では、配線挿通孔１３ｈは、補強部材１３の上側凸部１３ｅの内側に配置されている。上述したように、昇降ユニット１２の上端部１２ｆに接続されたケーブル１２ｄは、配線挿通孔１３ｈを挿通して、上部支持体２２に案内されている。
【００５１】  配線挿通孔１３ｈは、ケーブル１２ｄに取り付けられたコネクタなどが挿通可能な寸法に形成されている。補強部材１３には、配線挿通孔１３ｈに対して幅方向の内側に隣接して配線係止孔１３ｃが形成されている。配線係止孔１３ｃは、補強部材１３を上下方向に貫通するとともに配線挿通孔１３ｈと幅方向に連通するように形成されている。配線係止孔１３ｃは、配線挿通孔１３ｈよりも小さい寸法であってケーブル１２ｄは挿通可能な寸法に形成されている。また、配線係止孔１３ｃには、配線挿通孔１３ｈとの間に一対の係止片１３ｄ、１３ｄが設けられている。一対の係止片１３ｄ、１３ｄにより、ケーブル１２ｄを配線係止孔１３ｃに係止することができる。
【００５２】  補強部材１３は、例えばアルミニウム合金を材料としてダイカストにより成形することができる。
【００５３】  本実施形態によれば、天板昇降式什器１は、天板２１を有する上部構造体２０と、床面Ｆ上に設けられ、互いに天板２１の幅方向に離間して設けられ、上部構造体２０を支持する一対の脚部材１０、１０と、を備える。一対の脚部材１０、１０の各々は、床面Ｆ上に設けられた下部支持体１１と、下部支持体１１に連結され、下部支持体１１から上部構造体２０に向かう延在方向に延びて設けられ、延在方向に伸縮可能な昇降ユニット１２と、昇降ユニット１２の上端部１２ｆと上部構造体２０との間に設けられ、昇降ユニット１２および上部構造体２０にそれぞれ連結された補強部材１３と、を有する。補強部材１３は、平面視において昇降ユニット１２の上端部１２ｆよりも幅方向の内側に突出し、上部構造体２０を支持する突出部を有する。
【００５４】  上述した構成によれば、昇降ユニット１２の上端部１２ｆと上部構造体２０との間に各々に連結された補強部材１３が設けられており、補強部材１３は、平面視において昇降ユニット１２の上端部１２ｆよりも幅方向の内側に突出する突出部１３ａを有する。このため、このように構成された突出部１３ａにより、幅方向からの外力に対する強度を向上させることができる。これにより、天板昇降式什器１の横揺れを低減することができる。
【００５５】  また、補強部材１３と上部構造体２０とは、補強部材１３の上面１３ｔと上部構造体２０の下面２０ｕとを当接させた状態で、互いに連結されている。補強部材１３の上面１３ｔと上部構造体２０の下面２０ｕとのうち、補強部材１３の上面１３ｔには上部構造体２０の下面２０ｕに向かって突出する上側凸部１３ｅが形成され、上部構造体２０の下面２０ｕには上側凸部１３ｅと嵌合する開口２２ｈが形成されている。
【００５６】  上述した構成によれば、補強部材１３の上面１３ｔには上部構造体２０の下面２０ｕに向かって突出する上側凸部１３ｅが形成され、上部構造体２０の下面２０ｕには上側凸部１３ｅと嵌合する開口２２ｈが形成されているので、上側凸部１３ｅと開口２２ｈとを互いに嵌合させることによって、組み立て時に補強部材１３と上部構造体２０との取付位置の位置決めを容易に行うことができる。よって、組立作業性を良好にすることができる。また、上側凸部１３ｅが開口２２ｈに嵌合した状態で補強部材１３と上部構造体２０とが互いに連結されているので、補強部材１３と上部構造体２０との連結強度を向上させることができる。
【００５７】  また、補強部材１３と昇降ユニット１２とは、補強部材１３の下面１３ｕと昇降ユニット１２の上面１２ｔとを当接させた状態で、互いに連結されている。昇降ユニット１２の上面１２ｔには、補強部材１３に向かって突出し、環状に配置された凸部１２ｉが形成されている。補強部材１３の下面１３ｕには、凸部１２ｉの外周縁と嵌合するように上方に凹んで形成された下側凹部１３ｆと、下側凹部１３ｆから昇降ユニット１２に向かって突出し、凸部１２ｉの内周縁と嵌合するように形成された下側凸部１３ｇと、が設けられている。
【００５８】  上述した構成によれば、補強部材１３の下面１３ｕには、昇降ユニット１２の凸部１２ｉの外周縁と嵌合するように上方に凹んで形成された下側凹部１３ｆと、下側凹部１３ｆから昇降ユニット１２に向かって突出し、凸部１２ｉの内周縁と嵌合するように形成された下側凸部１３ｇと、が設けられているので、補強部材１３と昇降ユニット１２との連結時に、凸部１２ｉの外周縁を下側凹部１３ｆに嵌合させるとともに下側凸部１３ｇを凸部１２ｉの内周縁に嵌合させることによって、補強部材１３と昇降ユニット１２との連結強度をより向上させることができる。また、凸部１２ｉの外周縁を下側凹部１３ｆに嵌合させるとともに下側凸部１３ｇを凸部１２ｉの内周縁に嵌合させることによって、組み立て時に補強部材１３と昇降ユニット１２との取付位置の位置決めを容易に行うことができる。よって、組立作業性を良好にすることができる。
【００５９】  また、補強部材１３は、ねじ１５により昇降ユニット１２に連結されている。下側凹部１３ｆには、補強部材１３を上部構造体２０から昇降ユニット１２に向かって貫通し、ねじ１５が挿通される挿通孔１３ｂが形成されている。下側凸部１３ｇは、平面視において挿通孔１３ｂを囲むように配置されている。
【００６０】  上述した構成によれば、下側凸部１３ｇは、平面視において挿通孔１３ｂを囲むように配置されているので、挿通孔１３ｂを挿通したねじ１５を下側凹部１３ｆ内において昇降ユニット１２に向けて案内することができる。このため、補強部材１３と昇降ユニット１２とをねじ１５で連結する際の組立作業性を良好にすることができる。
【００６１】  また、上部構造体２０および補強部材１３は、ねじ１５により昇降ユニット１２に共締めされている。これにより、上部構造体２０および補強部材１３を同時に昇降ユニット１２に連結することができるので、組立作業性を良好にすることができる。
【００６２】  また、昇降ユニット１２の凸部１２ｉおよび補強部材１３の下側凹部１３ｆは、平面視において補強部材１３の上側凸部１３ｅおよび上部支持体２２の開口２２ｈを囲むように配置されている。このため、補強部材１３と補強部材１３の下側に配置される昇降ユニット１２とが連結される際に凸部１２ｉと下側凹部１３ｆとが互いに嵌合する部分は、補強部材１３と補強部材１３の上側に配置される上部構造体２０とが連結される際に上側凸部１３ｅと開口２２ｈとが互いに嵌合する部分よりも、平面視において外側に配置されている。よって、相対的に下側に配置される凸部１２ｉと下側凹部１３ｆとの嵌合部分が上側に配置される上側凸部１３ｅと開口２２ｈとの嵌合部分よりも平面視において外側に配置されているので、組立作業時において、昇降ユニット１２の上に補強部材１３を配置し、さらに補強部材１３の上に上部構造体２０を配置した仮組みの状態であっても、補強部材１３および上部構造体２０を昇降ユニット１２の上に安定的に支持することができる。これにより、組立作業性を良好にすることができる。
【００６３】  また、ねじ１５は、平面視において昇降ユニット１２の凸部１２ｉおよび補強部材１３の下側凹部１３ｆの内側かつ補強部材１３の上側凸部１３ｅおよび上部支持体２２の開口２２ｈの外側の位置に配置されている。これにより、ねじ１５の締結による力を凸部１２ｉと下側凹部１３ｆとの嵌合部分および上側凸部１３ｅと開口２２ｈとの嵌合部分の両方に良好に伝えることができる。よって、補強部材１３と昇降ユニット１２との連結強度および補強部材１３と上部構造体２０との連結強度をより向上させることができる。
【００６４】  また、上部構造体２０は、天板２１を支持する上部支持体２２をさらに有する。補強部材１３は、昇降ユニット１２の上端部１２ｆと上部支持体２２との間に配置されている。補強部材１３には、昇降ユニット１２の上端部１２ｆから上部支持体２２に向かって補強部材１３を貫通する配線挿通孔１３ｈが形成されている。昇降ユニット１２に接続されたケーブル１２ｄは、配線挿通孔１３ｈを挿通して、上部支持体２２に案内されている。
【００６５】  上述した構成によれば、昇降ユニット１２に接続されたケーブル１２ｄは、補強部材１３の配線挿通孔１３ｈを挿通して上部支持体２２に案内されているので、ケーブル１２ｄが外部から見えにくくなり、天板昇降式什器１の外観の体裁を良好にすることができる。
【００６６】  また、補強部材１３の突出部１３ａは、昇降ユニット１２の上端部１２ｆから上部構造体２０に向かうに従って幅方向に突出する寸法が大きくなるテーパー状に形成されている。これにより、使用者が手などで突出部１３ａに触れた場合に手などが傷つくことを防止することができる。加えて、補強部材１３を薄く見せることができ、天板昇降式什器１の美観を向上させることができる。
【００６７】  なお、本実施形態では、補強部材１３と上部構造体２０との連結において、補強部材１３の上面１３ｔには上側凸部１３ｅが形成され、上部構造体２０の下面２０ｕには上側凸部１３ｅと嵌合する開口２２ｈが形成されていたが、これに限らない。補強部材１３の上面１３ｔと上部構造体２０の下面２０ｕとのうち、いずれか一方には他方に向かって突出する凸部が形成され、他方には前記凸部と嵌合する凹部が形成されていれば、本実施形態と同様の効果を奏することができる。
【００６８】  また、本実施形態では、補強部材１３と昇降ユニット１２との連結において、昇降ユニット１２の上面１２ｔには凸部１２ｉが形成され、補強部材１３の下面１３ｕには、凸部１２ｉの外周縁と嵌合する下側凹部１３ｆと、凸部１２ｉの内周縁と嵌合する下側凸部１３ｇと、が設けられていたが、これに限らない。例えば、補強部材１３の下面１３ｕには、下側凸部１３ｇが設けられていなくてもよい。この場合には、昇降ユニット１２の上面１２ｔには補強部材１３の下面１３ｕに向かって突出する凸部１２ｉが形成され、補強部材１３の下面１３ｕには凸部１２ｉと嵌合する下側凹部１３ｆが形成されている。
【００６９】  上述した構成によれば、昇降ユニット１２の上面１２ｔには補強部材１３の下面１３ｕに向かって突出する凸部１２ｉが形成され、補強部材１３の下面１３ｕには凸部１２ｉと嵌合する下側凹部１３ｆが形成されているので、凸部１２ｉと下側凹部１３ｆとを互いに嵌合させることによって、組み立て時に補強部材１３と昇降ユニット１２との取付位置の位置決めを容易に行うことができる。よって、組立作業性を良好にすることができる。加えて、凸部１２ｉが下側凹部１３ｆに嵌合した状態で補強部材１３と昇降ユニット１２とが互いに連結されているので、補強部材１３と昇降ユニット１２との連結強度を向上させることができる。
【００７０】  さらに、上述した構成に限らず、補強部材１３の下面１３ｕと昇降ユニット１２の上面１２ｔとのうち、いずれか一方には他方に向かって突出する凸部が形成され、他方には前記凸部と嵌合する凹部が形成されていれば、上述した構成と同様の効果を奏することができる。
【００７１】  また、本実施形態では、上部構造体２０および補強部材１３は、ねじ１５により昇降ユニット１２に共締めされていたが、これに限らない。例えば、上部構造体２０と補強部材１３とが互いにねじにより連結され、補強部材１３と昇降ユニット１２とが互いに別のねじにより連結されていてもよい。
【００７２】  以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００７３】１  天板昇降式什器
１０  脚部材
１１  下部支持体
１２  昇降ユニット
１２ｄ  ケーブル
１２ｆ  上端部
１２ｉ  凸部（第二凸部）
１２ｔ  上面
１３  補強部材
１３ａ  突出部
１３ｅ  上側凸部（第一凸部）
１３ｆ  下側凹部（第二凹部）
１３ｇ  下側凸部（第三凸部）
１３ｈ  配線挿通孔
１３ｔ  上面
１３ｕ  下面
１５  ねじ
２０  上部構造体
２０ｕ  下面
２１  天板
２２  上部支持体
２２ｈ  開口（第一凹部）
Ｆ  床面
【図１】
2017185167.tif 000003
【図２】
2017185167.tif 000004
【図３】
2017185167.tif 000005
【図４】
2017185167.tif 000006
【図５】
2017185167.tif 000007
【図６】
2017185167.tif 000008